(57)【要約】【課題】  利用者が、手持ち貨幣の額が少ない等の制限を抱えていても、該制限範囲内でより望ましい出力形態による有料印刷サービスを提供可能にする。【解決手段】  印刷サービス装置４０において、利用者から、記憶部４３に蓄積されたデータに対して印刷指示が出された後、更に、操作／表示部４２を用いて印刷対象データの印刷に係わる制限項目の設定がなされると、制限指定印刷制御部４１１は、画像処理部４４に指示して、印刷対象データを、設定された制限項目を満足する印刷出力形態を有する制限印刷データに加工せしめ、この制限印刷データに対応する出力サンプルの表示中に、印刷開始操作がなされると、該制限印刷データをプリンタ装置５０に送出して上記制限項目を満足する形態で印刷出力せしめる。【選択図】  図２
2006221436.tif 000002
【特許請求の範囲】
【請求項１】
予め蓄積したデータに対する印刷指示に基づき該印刷対象データを読み出して処理し、該処理データを印刷サービス料金の決済処理を経て画像形成部により印刷出力する印刷処理装置において、
前記印刷対象データの印刷に係わる制限項目を設定する設定手段と、
前記印刷対象データを、前記設定手段により設定された制限項目を満足する印刷出力形態に対応する制限印刷データに加工する画像処理手段と、
前記画像処理手段により加工された制限印刷データを、前記画像形成部に送出するデータ送出手段と
を具備することを特徴とする印刷処理装置。
【請求項２】
前記制限印刷データの各頁のサンプル画像から成る出力サンプルを表示する出力サンプル表示手段
を具備し、
前記データ送出手段は、
前記出力サンプル表示中の所定の印刷開始指示操作に応じて当該出力サンプルに対応する制限印刷データを送出する
ことを特徴とする請求項１記載の印刷処理装置。
【請求項３】
前記出力サンプルの表示中、該出力サンプルに対応する制限印刷データに対する印刷制御パラメータの変更を指示する変更指示手段
を更に具備し、
前記画像処理手段は、
前記変更指示手段による変更指示に応じて前記制限印刷データを再加工して再加工データを生成し、
前記出力サンプル表示手段は、
前記画像処理手段により再加工された前記再加工データの各頁のサンプル画像から成る再加工出力サンプルを表示し、
前記データ送出手段は、
前記再加工出力サンプル表示中の所定の印刷開始指示操作に応じて当該再加工出力サンプルに対応する再加工データを送出する
ことを特徴とする請求項２記載の印刷処理装置。
【請求項４】
予め蓄積したデータに対する印刷指示に基づき該印刷対象データを読み出して処理し、該処理データを印刷サービス料金の決済処理を経て画像形成部により印刷出力する印刷処理装置において、
前記印刷対象データの印刷に係わる制限項目を設定する設定手段と、
前記印刷対象データを、前記設定手段により設定された制限項目を満足する印刷出力形態に各々対応する複数の制限印刷データに加工する画像処理手段と、
前記画像処理手段により加工された複数の制限印刷データ各々の各頁のサンプル画像から成る複数の出力サンプルを表示する出力サンプル表示手段と、
前記出力サンプル表示手段により表示された複数の出力サンプルのうちのいずれかを選択する選択手段と、
前記選択手段により選択された出力サンプルに対応する制限印刷データを、前記画像形成部に送出するデータ送出手段と
を具備することを特徴とする印刷処理装置。
【請求項５】
前記選択手段により選択された出力サンプルに対応する制限印刷データに対する印刷制御パラメータの変更を指示する変更指示手段
を更に具備し、
前記画像処理手段は、
前記変更指示手段による変更指示に応じて該当する前記制限印刷データを再加工して再加工データを生成し、
前記出力サンプル表示手段は、
前記画像処理手段により再加工された前記再加工データの各頁のサンプル画像から成る再加工出力サンプルを表示し、
前記データ送出手段は、
前記再加工出力サンプル表示中の所定の印刷開始指示操作に応じて当該再加工出力サンプルに対応する再加工データを送出する
ことを特徴とする請求項４記載の印刷処理装置。
【請求項６】
前記変更指示手段は、
前記出力サンプルに対応する制限印刷データの特定の頁に対する縮尺、削除、両面印刷若しくは片面印刷、特定部分のみの選択出力のうちの少なくとも１つに関する印刷制御パラメータの変更指定を行う
ことを特徴とする請求項３または５のいずれか記載の印刷処理装置。
【請求項７】
前記制限項目設定手段は、
前記印刷対象データの印刷料金に当たる決済金額若しくは該決済金額に対応する度数の制限値を前記制限項目として設定する
ことを特徴とする請求項１乃至６のいずれか記載の印刷処理装置。
【請求項８】
前記制限項目設定手段は、
前記印刷対象データの印刷時間の制限値を前記制限項目として設定する
ことを特徴とする請求項１乃至７のいずれか記載の印刷処理装置。
【請求項９】
前記制限項目設定手段は、
前記印刷対象データの印刷枚数の制限値を前記制限項目として設定する
ことを特徴とする請求項１乃至８のいずれか記載の印刷処理装置。
【請求項１０】
予め蓄積したデータに対する印刷指示に基づき該印刷対象データを読み出して処理し、該処理データを印刷サービス料金の決済処理を経て画像形成部により印刷出力する印刷処理装置における印刷処理方法において、
前記印刷処理装置の設定手段により、前記印刷対象データの印刷に係わる制限項目を設定する制限項目設定ステップと、
前記印刷処理装置の画像処理手段により、前記印刷対象データを、前記制限項目設定ステップで設定された制限項目を満足する印刷出力形態に対応する制限印刷データに加工する画像処理ステップと、
前記印刷処理装置のデータ送出手段により、前記画像処理ステップで加工された制限印刷データを、前記画像形成部に送出するデータ送出ステップと
を有することを特徴とする印刷処理方法。
【請求項１１】
前記制限項目設定ステップは、
前記印刷対象データの印刷料金に当たる決済金額若しくは該決済金額に対応する度数の制限値を前記制限項目として設定する
ことを特徴とする請求項１０記載の印刷処理方法。
【請求項１２】
前記制限項目設定ステップは、
前記印刷対象データの印刷時間の制限値を前記制限項目として設定する
ことを特徴とする請求項１０または１１記載の印刷処理方法。
【請求項１３】
前記制限項目設定ステップは、
前記印刷対象データの印刷枚数の制限値を前記制限項目として設定する
ことを特徴とする請求項１０乃至１２のいずれか記載の印刷処理方法。
【発明の詳細な説明】
【技術分野】
【０００１】
本発明は、予め蓄積したデータに対する印刷サービスを有料で提供する印刷処理装置及び方法に係わり、詳しくは、印刷サービスの利用者に紙幣の手持ち額が少ない等の制限がある場合でも当該制限を満足する形態の出力結果を取得可能にする印刷処理装置及び方法に関する。
【背景技術】
【０００２】
今日の多様化する印刷サービスの中にあって、例えば、利用者のＰＣ（パーソナル・コンピュータ）からネットワークを介して街中の印刷サービス拠点に設置された印刷サービス端末にデータを送っておき、その後、利用者が印刷サービス端末のところまで出かけていって自分のデータを有料で印刷出力する印刷サービスも実現されている。
【０００３】
このように、リモート環境を使って利用者に対して外出先で有料の印刷サービスを提供する印刷サービスシステムにおいて、昨今のＩＴ（情報技術）環境の充実により、印刷サービス料金の決済には、通常の貨幣の他、クレジットカードや電子マネーも利用できる環境が整備されつつある。
【０００４】
しかしながら、どの決済媒体を用いて決済を受け入れるかは印刷サービス拠点によって必ずしも一元化されておらず、時と場所によっては一定していないため、外出時、電子マネーは潤沢にあるにもかかわらず、現金（特に、硬貨）がないために有料の印刷サービスを受けられない事態も発生し得る。
【０００５】
例えば、Ａ４サイズ１枚当たり１００円の印刷サービスを提供している印刷サービス拠点での決済処理機能が現金のみに対応したものであるにもかかわらず、２００円しか手持ちがない状況下（しかも、電子マネーやクレジットカードを持っているが、双方とも受け入れる装置が備わっていない）において、出力したいデータが２０枚あった場合、現金しか使えないため、手持ちの２００円では２枚しか印刷できないことになる。
【０００６】
一方、ネットワーク環境を利用して印刷サービスを提供する技術に関して、下記特許文献１には、サーバがサービス提供機器から該機器によって提供可能なサービス情報を予め収集し、サーバに接続されているサービス提供機器により提供可能なサービス情報をクライアントからの要求に応じて該クライアントに提供する技術が開示されている。
【０００７】
また、下記特許文献２には、クライアントからの入力情報を基に、膨大なサービスメニューを基本的なサービスメニューとより詳細なサービスメニューに分割することにより利便性を上げる技術が開示されている。
【特許文献１】特開２００２−１４９５１６号公報
【特許文献２】特開２００４−１１２１１５号公報
【発明の開示】
【発明が解決しようとする課題】
【０００８】
上述した如く、リモート環境下で利用者に外出先での有料印刷サービスを提供する従来システムでは、決済処理機能が一元化されていないために、決済の媒体として電子マネー等は潤沢に持っているが、現金の持ち合わせが少ないためにデータを印刷できない状況が生じ得る。
【０００９】
これに対し、特許文献１及び２のいずれにも、有料印刷サービスの利用に際して、印刷を希望するデータの通常の利用代金に対して手持ちの現金が足りない場合でも該印刷を印刷可能にするための技術的示唆は全くなされていない。
【００１０】
また、この種の印刷サービスシステムを前提とした外出先での有料印刷サービスの利用に際し、利用者側では、交通機関の待ち時間が少ない、あるいは、重い荷物を持っていてこれ以上持ち物（多くの枚数の書類）を増やしたくない等の状況下におかれることも少なくない。
【００１１】
このような制限のある中で、その制限の範囲内で利用者によるデータの印刷を実現する技術についても、特許文献１，２は全く示唆していない。
【００１２】
従って、リモート環境下で利用者に外出先での有料の印刷サービスを提供する従来システムでは、手持ち貨幣の額が少ない、待ち時間が少ない、荷物の量や重さを増やしたくない等の制限を抱えた利用者に対して、その制限の範囲内で利用者が望む出力形態での印刷サービスを提供できないという問題点があった。
【００１３】
本発明は、上記問題点を解消し、利用者が、手持ち貨幣の額が少ない等の制限を抱えていても、該制限範囲内でより望ましい出力形態による有料印刷サービスを提供可能な印刷処理装置及び方法を提供することを目的とする。
【課題を解決するための手段】
【００１４】
上記目的を達成するために、請求項１記載の発明は、予め蓄積したデータに対する印刷指示に基づき該印刷対象データを読み出して処理し、該処理データを印刷サービス料金の決済処理を経て画像形成部により印刷出力する印刷処理装置において、前記印刷対象データの印刷に係わる制限項目を設定する設定手段と、前記印刷対象データを、前記設定手段により設定された制限項目を満足する印刷出力形態に対応する制限印刷データに加工する画像処理手段と、前記画像処理手段により加工された制限印刷データを、前記画像形成部に送出するデータ送出手段とを具備することを特徴とする。
【００１５】
請求項２記載の発明は、上記請求項１記載の発明において、前記制限印刷データの各頁のサンプル画像から成る出力サンプルを表示する出力サンプル表示手段を具備し、前記データ送出手段は、前記出力サンプル表示中の所定の印刷開始指示操作に応じて当該出力サンプルに対応する制限印刷データを送出することを特徴とする。
【００１６】
請求項３記載の発明は、上記請求項２記載の発明において、前記出力サンプルの表示中、該出力サンプルに対応する制限印刷データに対する印刷制御パラメータの変更を指示する変更指示手段を更に具備し、前記画像処理手段は、前記変更指示手段による変更指示に応じて前記制限印刷データを再加工して再加工データを生成し、前記出力サンプル表示手段は、前記画像処理手段により再加工された前記再加工データの各頁のサンプル画像から成る再加工出力サンプルを表示し、前記データ送出手段は、前記再加工出力サンプル表示中の所定の印刷開始指示操作に応じて当該再加工出力サンプルに対応する再加工データを送出することを特徴とする。
【００１７】
請求項４記載の発明は、予め蓄積したデータに対する印刷指示に基づき該印刷対象データを読み出して処理し、該処理データを印刷サービス料金の決済処理を経て画像形成部により印刷出力する印刷処理装置において、前記印刷対象データの印刷に係わる制限項目を設定する設定手段と、前記印刷対象データを、前記設定手段により設定された制限項目を満足する印刷出力形態に各々対応する複数の制限印刷データに加工する画像処理手段と、前記画像処理手段により加工された複数の制限印刷データ各々の各頁のサンプル画像から成る複数の出力サンプルを表示する出力サンプル表示手段と、前記出力サンプル表示手段により表示された複数の出力サンプルのうちのいずれかを選択する選択手段と、前記選択手段により選択された出力サンプルに対応する制限印刷データを、前記画像形成部に送出するデータ送出手段とを具備することを特徴とする。
【００１８】
請求項５記載の発明は、上記請求項４記載の発明において、前記選択手段により選択された出力サンプルに対応する制限印刷データに対する印刷制御パラメータの変更を指示する変更指示手段を更に具備し、前記画像処理手段は、前記変更指示手段による変更指示に応じて該当する前記制限印刷データを再加工して再加工データを生成し、前記出力サンプル表示手段は、前記画像処理手段により再加工された前記再加工データの各頁のサンプル画像から成る再加工出力サンプルを表示し、前記データ送出手段は、前記再加工出力サンプル表示中の所定の印刷開始指示操作に応じて当該再加工出力サンプルに対応する再加工データを送出することを特徴とする。
【００１９】
請求項６記載の発明は、上記請求項項３または５のいずれか記載の発明において、前記変更指示手段は、前記出力サンプルに対応する制限印刷データの特定の頁に対する縮尺、削除、両面印刷若しくは片面印刷、特定部分のみの選択出力のうちの少なくとも１つに関する印刷制御パラメータの変更指定を行うことを特徴とする。
【００２０】
請求項７記載の発明は、上記請求項１乃至６のいずれか記載の発明において、前記制限項目設定手段は、前記印刷対象データの印刷料金に当たる決済金額若しくは該決済金額に対応する度数の制限値を前記制限項目として設定することを特徴とする。
【００２１】
請求項８記載の発明は、上記請求項１乃至７のいずれか記載の発明において、前記制限項目設定手段は、前記印刷対象データの印刷時間の制限値を前記制限項目として設定することを特徴とする。
【００２２】
請求項９記載の発明は、上記請求項１乃至８のいずれか記載の発明において、前記制限項目設定手段は、前記印刷対象データの印刷枚数の制限値を前記制限項目として設定することを特徴とする。
【００２３】
請求項１０記載の発明は、予め蓄積したデータに対する印刷指示に基づき該印刷対象データを読み出して処理し、該処理データを印刷サービス料金の決済処理を経て画像形成部により印刷出力する印刷処理装置における印刷処理方法において、前記印刷処理装置の設定手段により、前記印刷対象データの印刷に係わる制限項目を設定する制限項目設定ステップと、前記印刷処理装置の画像処理手段により、前記印刷対象データを、前記制限項目設定ステップで設定された制限項目を満足する印刷出力形態に対応する制限印刷データに加工する画像処理ステップと、前記印刷処理装置のデータ送出手段により、前記画像処理ステップで加工された制限印刷データを、前記画像形成部に送出するデータ送出ステップとを有することを特徴とする。
【００２４】
請求項１１記載の発明は、上記請求項１０記載の発明において、前記制限項目設定ステップは、前記印刷対象データの印刷料金に当たる決済金額若しくは該決済金額に対応する度数の制限値を前記制限項目として設定することを特徴とする。
【００２５】
請求項１２記載の発明は、上記請求項１０または１１記載の発明において、前記制限項目設定ステップは、前記印刷対象データの印刷時間の制限値を前記制限項目として設定することを特徴とする。
【００２６】
請求項１３記載の発明は、上記請求項１０乃至１２のいずれか記載の発明において、前記制限項目設定ステップは、前記印刷対象データの印刷枚数の制限値を前記制限項目として設定することを特徴とする。
【発明の効果】
【００２７】
本発明によれば、印刷対象データの印刷に係わる制限項目を設定する設定手段と、印刷対象データを、設定手段により設定された制限項目を満足する印刷出力形態に対応する制限印刷データに加工する画像処理手段と、画像処理手段により加工された制限印刷データを画像形成部に送出するデータ送出手段とを有する構成としたため、利用者が、例えば、貨幣の手持ち金額が少ない、交通機関の待ち時間が少ない、荷物を増やしたくない等の制限を抱える状況下で、それぞれ、手持ち貨幣の額、許容できる待ち時間あるいは枚数に応じて、決済金額（印刷サービスの利用代金）、印刷時間及び印刷枚数の制限値を上記制限項目として各々設定することで、手持ち貨幣の金額、許容待ち時間あるいは枚数の範囲内で目的のデータを希望に沿った形態で印刷出力でき、有料印刷サービスの利便性を高めることができる。
【００２８】
また、本発明によれば、制限項目を反映して生成された制限印刷データの各頁のサンプル画像から成る出力サンプルを表示し、該出力サンプルに対応する制限印刷データに対する印刷制御パラメータの変更の指示を受付けて、対応する制限印刷データを再加工して該再加工データに対応する再加工出力サンプルを表示する処理を続けながら、当該出力サンプルあるいは再加工出力サンプルに満足した段階で対応する制限印刷データあるいは再加工データの印刷開始操作を行う構成としたため、設定した制限項目に応じて自動生成された制限印刷データの出力形態をベースに、利用者の手作業による印刷制御パラメータの変更指示を通じて、利用者の最終出力形態に対する細かい改編要求にも簡単に対応でき、利用者に対して、制限項目を満足することを前提とした最も理想的な出力結果を簡単に提供できる。
【発明を実施するための最良の形態】
【００２９】
以下、本発明の実施形態について添付図面を参照して詳細に説明する。
【００３０】
図１は、本発明に係わる印刷処理処理システムの全体構成を示す概念図である。
【００３１】
このシステムは、例えば、街中の任意の場所（建物等）に開設される接続サービス拠点内のイントラネット１０と、該接続サービス拠点とは離れた別の場所に各々開設される複数の印刷サービス拠点（Ａ，Ｂ，…）内の各イントラネット１１（１１Ａ，１１Ｂ，…）とをネットワーク２０により接続すると共に、各印刷サービス拠点において、イントラネット１１に対して、各々、印刷サービス装置４０（４０Ａ，４０Ｂ，…）及びプリンタ装置５０（５０Ａ，５０Ｂ，…）を接続して構成される。
【００３２】
このシステムでは、例えば、接続サービス拠点のイントラネット１０に接続したクライアント端末（ＰＣ：パーソナル・コンピュータ）３０から任意の印刷サービス拠点内の印刷サービス装置４０に送信されたデータを対応するプリンタ装置５０により印刷出力するリモート印刷サービスを提供する。
【００３３】
このリモート印刷サービスを利用する場合、利用者は、まず、自分のＰＣ３０を接続サービス拠点のイントラネット１０に接続したうえで、任意の印刷サービス拠点内の印刷サービス装置４０（特許請求の範囲における印刷処理装置に相当）を指定して所望のデータを送信する。これにより、当該印刷サービス拠点内の印刷サービス装置４０では、利用者のＰＣ３０から送信されたデータを記憶部に蓄積する。
【００３４】
その後、利用者は、当該印刷サービス拠点まで出かけて行って、印刷サービス装置４０に蓄積されているデータ（自分が送信したデータ）の印刷指示操作を行う。この印刷指示操作に基づき、印刷サービス装置４０は、印刷指示されたデータ（印刷対象データ）を記憶部から読み出して処理し、該処理データを印刷サービス料金の決済処理を経てプリンタ装置５０により印刷出力させる処理を行う。
【００３５】
この有料印刷サービスの利用に当たり、印刷サービス装置４０では、利用者によるデータの印刷指示に際して、決済金額、印刷時間あるいは印刷枚数等の種々の制限項目の設定を受付け、印刷対象データを、設定された制限項目を満足する印刷出力形態に対応する印刷データに加工し、該加工後のデータを所定の印刷開始操作に基づき印刷出力する制限指定印刷制御機能を有する。
【００３６】
以下、本発明に係わる印刷サービス装置４０の構成と制限指定印刷制御動作について詳しく説明する。
【００３７】
図２は、本発明に係わる印刷サービス装置４０の機能構成を示すブロック図である。
【００３８】
図２に示すように、印刷サービス装置４０は、装置全体の制御を行なう制御部４１、タッチパネルや各種操作キー等を備え、該パネルに触れる（タッチする）操作やキー操作に応じて印刷指示等の各種操作並びに各種情報の入力を行う操作機能と、印刷操作等に用いる各種ＵＩ（ユーザ・インタフェース）画面等の各種情報をパネル上に表示する機能を有する操作／表示部４２、動作プログラムや、各利用者のＰＣ３０からネットワーク２０を介して受信したデータ（図中、リモート受信データＲＤ）等の各種情報を記憶する記憶部４３、印刷指示されたデータの画像処理を行う画像処理部４４、ＰＣ３０からのデータ受信やプリンタ装置５０へのデータ送信等に係わる通信インタフェース（Ｉ／Ｆ）を司る通信Ｉ／Ｆ部４５、現金、クレジットカート゛あるいは電子マネー等の決済媒体による印刷サービス料金の決済処理を行なう決済処理装置４７を具備して構成される。
【００３９】
制御部４１には、操作／表示部４２での所定の操作に基づき、蓄積しているデータに対する印刷指示を受付ける処理、印刷指示されたデータ（印刷対象データ）に対する制限指定印刷モードの選択を受付ける処理、制限指定印刷モードにおいて、制限項目の設定を受付ける制限項目指定受付処理、画像処理部４４により、印刷対象データを上記制限項目を満足する印刷出力形態に対応するデータ（制限印刷データ）に加工せしめるデータ加工処理、加工された制限印刷データの各頁に対応するサンプル画像（サムネイル画像）を生成し、該生成された各頁のサムネイル画像を用いて当該データの出力サンプルを操作／表示部４２に一覧表示する出力サンプル表示処理、出力サンプル表示中、操作／表示部４２での所定の操作に基づき、当該制限印刷データに対する印刷制御パラメータの変更指示を受付ける変更指示受付処理、受付けた変更指示に基づき、画像処理部４４により、制限印刷データを再加工して再加工データを生成せしめる再加工処理、再加工データの各頁のサムネイル画像から成る再加工出力サンプルを操作／表示部４２に表示する再加工出力サンプル表示処理、制限印刷データに対応する出力サンプルまたは再加工データに対応する再加工出力サンプルの表示中、操作／表示部４２での所定の印刷開始操作に基づき、対応するデータ（制限印刷データまたは再加工データ）をプリンタ装置５０に送出して印刷出力させる処理、プリンタ装置５０での上記データの印刷出力に先立って、決済処理装置４７により当該データの印刷サービス料金の決済処理を実行させる料金決済処理等、一連の制限指定印刷制御を行なう制限指定印刷制御部４１１が設けられる。
【００４０】
次に、印刷サービス装置４０における印刷処理動作について説明する。
【００４１】
この印刷サービス装置４０では、上述した如く、印刷サービスの利用に先立って、利用者が、例えば、接続サービス拠点内のイントラネット１０に接続した自分のＰＣ３０から、印刷を希望するデータを当該印刷サービス装置４０宛に送信するのを受けて、該ＰＣ３０から送信されたデータをネットワーク２０を介して通信Ｉ／Ｆ４５により受信し、記憶部４３に蓄積、管理する。
【００４２】
その後、印刷サービス装置４０は、当該印刷サービス拠点を訪れた利用者が、操作／表示部４２に表示されるＵＩ画面を用いて、自分が事前に送信した記憶済みデータを検索し、該検索したデータに対する印刷指示操作を行うのを受けて、該印刷指示されたデータを記憶部４３から読み出してプリンタ装置５０により印刷出力する処理を実行する。
【００４３】
図３は、印刷サービス装置４０の操作／表示部４２の概略構成を示す図である。
【００４４】
図３に示すように、操作／表示部４２は、印刷開始ボタン、テンキー、頁スクロールボタン等を有するキー操作部４２１と、各種ＵＩ画面を表示する機能並びに該画面上の情報に対するタッチ操作に基づく当該情報に対応した各種指令等の入力機能を有するタッチパネル部４２２を備えて構成される。
【００４５】
利用者のＰＣ３０から送信されたデータを記憶部４３に記憶した後の印刷指示待ち状態（待機状態）において、印刷サービス装置４０のタッチパネル部４２２には、例えば、図３に示すような初期画面が表示される。
【００４６】
この初期画面上で、利用者が「印刷サービス」ボタンを選択（タッチ）すると、タッチパネル部４２２には、例えば、“データを指定して印刷指示を実行して下さい。”といった内容の印刷指示ガイダンスと、データの検索と印刷指示に必要な操作ボタン等（図示せず）が表示される。
【００４７】
これにより、利用者は、タッチパネル部４２２上の操作ボタンを適宜操作することによって、自分がリモート送信により事前に蓄積しておいたデータ（図２におけるリモート受信データＲＤ）を検索したうえで、該データに対する印刷指示を入力することができる。
【００４８】
図４は、上記印刷指示操作に基づく、印刷サービス装置４０での印刷処理動作を示すフローチャートである。
【００４９】
印刷サービス装置４０では、初期画面上で「印刷サービス」ボタンが押下された後、利用者によりタッチパネル部４２２を用いて上記印刷指示操作が行われたか否かを監視しており（ステップＳ１０１）、ここで、印刷指示操作が行われると（ステップＳ１０１ＹＥＳ）、制限指定印刷制御部４１１は、制限指定印刷モードの選択画面（図示せず）をタッチパネル部４２２に表示し（ステップＳ１０２）、当該画面上で制限指定印刷モードが選択されたか否かをチェックする（ステップＳ１０３）。
【００５０】
ここで、利用者によって制限指定印刷モードが選択されなかった場合（ステップＳ１０３ＮＯ）、制御部４１が、タッチパネル部４２２に通常印刷モードの印刷操作画面を表示し、該通常印刷操作画面の操作に基づく通常印刷モードでの印刷サービス処理（ステップＳ１２１）に移行する。
【００５１】
これに対して、制限指定印刷モードが選択された場合（ステップＳ１０３ＹＥＳ）、制限指定印刷制御部４１１は、制限項目指定画面をタッチパネル部４２２に表示し（ステップＳ１０４）、制限項目指定操作の受け付け処理を行う。
【００５２】
具体例を挙げると、上記ステップＳ１０３において、例えば「料金制限」、「時間制限」、「枚数制限」の各選択ボタンから成る制限項目選択画面（図示せず）を表示し、そのうちのいずれかのボタンが押下されると（ステップＳ１０３ＹＥＳ）、上記ステップＳ１０４で当該押下されたボタンに対応する制限項目の指定画面を表示する。
【００５３】
図５は、制限項目選択画面上の「料金制限」ボタン、「時間制限」ボタン、「枚数制限」ボタンを用いて選択可能な各制限項目“制限金額”、“制限時間”及び“制限枚数”の各々に対応した制限項目指定画面の表示例を示す図であり、同図（ａ）は制限金額指定画面４２２ａの表示例を、同図（ｂ）は制限時間指定画面４２２ｂの表示例を、同図（ｃ）は制限枚数指定画面４２２ｃの表示例を各々示している。
【００５４】
利用者は、上記ステップＳ１０３で制限項目選択画面を用いて希望する制限項目を選択した後、該選択された制限項目に対応してステップＳ１０４でタッチパネル部４２２に表示される上記制限項目指定画面４２２（４２２ａ，４２２ｂ，４２２ｃ）を用いて制限項目の具体的な値を指定する。
【００５５】
具体的には、“制限金額”を指定する場合には、図５（ａ）に示す制限金額指定画面４２２ａを用いて、今回印刷指示されているデータの印刷サービス料金（決済金額）の制限値（希望印刷料金）である制限金額、例えば、２００円を入力し、「設定」ボタンを押下する。
【００５６】
また、“制限時間”を指定する場合には、図５（ｂ）に示す制限時間指定画面４２２ｂを用いて、同データの印刷時間の制限値（希望印刷時間）である制限時間、例えば、３分を入力して「設定」ボタンを押下し、“制限枚数”を指定する場合には、図５（ｃ）に示す制限枚数指定画面４２２ｃを用いて、同データの印刷枚数の制限値（希望印刷枚数）である制限枚数、例えば、２枚を入力して「設定」ボタンを押下する。
【００５７】
かかる操作手順に対して、制限指定印刷制御部４１１は、上記ステップＳ１０３での制限指定印刷モード選択（ステップＳ１０３ＹＥＳ）後、上記ステップＳ１０４での制限項目指定画面４２２（４２２ａ，４２２ｂ，４２２ｃ）表示中に、該制限項目指定画面４２２を用いた制限項目指定操作があるかどうかを監視する（ステップＳ１０５）。
【００５８】
ここで、印刷料金、印刷時間、印刷枚数のいずれかに関する制限項目の指定がなされた場合（ステップＳ１０５ＹＥＳ）、制限指定印刷制御部４１１は、上記ステップＳ１０１で印刷指示された印刷対象データを記憶部４３から読み出し、画像処理部４４により、当該印刷対象データを上記ステップ１０５で指定された制限項目を満足する印刷出力形態に対応するデータ（制限印刷データ）へと加工処理（ステップＳ１０６）して記憶部４３に記憶し戻す。
【００５９】
次いで、上記加工後のデータから各頁毎のサンプル画像データ（サムネイル画像データ：各頁のデータを解像度変換及び縮小処理したもの）を生成し、該サムネイル画像データに基づき、タッチパネル部４２２上に、上記ステップＳ１０６での加工処理後のデータの出力結果（出力サンプル）の一覧をプレビュー表示する（ステップＳ１０７）。
【００６０】
図６は、印刷サービス装置４０におけるステップ１０７での出力サンプルの表示例を示す図である。
【００６１】
特に、同図は、後述する、全体で２０頁から成る印刷対象データに対する上記ステップＳ１０５での“制限金額＝２００円”の制限項目指定に基づく上記ステップＳ１０６での加工処理データ（制限印刷データ）の出力サンプルの表示例を示すものであり、１枚目の用紙の表面に印刷対象データの１頁目と２頁目が２−ｕｐで印刷され、その裏面には、３頁目〜８頁目までが６−ｕｐで印刷され、更に、２枚目の用紙には、９頁目〜１４頁目及び１５頁目〜２０頁目がそれぞれ６−ｕｐで両面印刷される印刷結果に対応する出力サンプル〔図９（ａ）と同等〕がタッチパネル部４２２上に出力サンプル表示画面４２２ｄを用いて一覧表示されている。
【００６２】
この出力サンプルを見た利用者は、当該表示中の出力サンプル通りの形態で印刷を希望する場合には、操作／表示部４２のキー操作部４２１（図３参照）にある「印刷開始」ボタンを押下することで、現時点での加工済みデータに基づく印刷処理を実行できる。
【００６３】
一方、表示中の出力サンプルとは異なる形態での印刷を希望する場合には、後で詳述するように、該出力サンプルと一緒に出力サンプル表示画面４２２ｄ上に表示される「改編」ボタン４２５を押下し、これによってタッチパネル部４２２上に上記出力サンプル表示画面４２２ｄと併せ表示される図７に示す変更指定画面４２２ｅを用いて各頁の改編処理を実行することができる。
【００６４】
かかる運用手順に対して、制限指定印刷制御部４１１は、上記ステップＳ１０７での出力サンプル表示中、印刷開始操作（「印刷開始」ボタン押下操作）が行われたか否を監視している（ステップＳ１０８）。
【００６５】
ここで、印刷開始操作が行われた場合（ステップＳ１０８ＹＥＳ）、制限指定印刷制御部４１１は、タッチパネル部４２２に印刷サービス料金と該料金の入金操作ガイダンスを含む決済案内画面を表示する（ステップＳ１１１）。
【００６６】
その後、上記入金操作ガイダンスに促されて利用者が入金操作操作を行うのを待って印刷サービス料金の決済処理を行う（ステップＳ１１２）。
【００６７】
なお、印刷サービス装置４０に接続される決済処理装置４７には、現金投入口、電子マネー読取装置が設けられ、上記決済処理は、現金投入口への現金（印刷サービス料金に対応する額）の投入、電子マネー読取部が電子マネー保持媒体（電子マネー機能付携帯電話端末、電子マネーカード等）の近接を受けて該電子マネー保持媒体から印刷サービス料金に対応する額を減額して残額を書き換える処理を通じて実施される。
【００６８】
上記決済処理が完了すると（ステップＳ１１３ＹＥＳ）、制限指定印刷制御部４１１は、ステップＳ１０７で表示された出力サンプルに対応する加工済みデータを記憶部４２から読み出して、印刷指示と共にプリンタ装置５０に送出する（ステップＳ１１４）。
【００６９】
一方、上記印刷指示を受信したプリンタ装置５０では、印刷サービス装置４０から一緒に受信した印刷データ（加工済みデータ＝制限印刷データ）に基づき、画像を印刷出力する。
【００７０】
この例の場合、プリンタ装置５０は、印刷サービス装置４０において上記ステップＳ１０６で加工されたデータを受信し、２０頁から成る当該印刷対象データのうち、１頁目と２頁目を１枚目の用紙の表面に２−ｕｐで印刷し、その裏面には、３頁目〜８頁目までを６−ｕｐで印刷し、更に、２枚目の用紙には、９頁目〜１４頁目及び１５頁目〜２０頁目がそれぞれ６−ｕｐで両面印刷して出力する。この出力形態は、上記ステップＳ１０７で表示された出力サンプル結果に対応するものである。
【００７１】
これに対して、上記ステップＳ１０７での出力サンプルの表示中に印刷開始操作がなされなかった場合（ステップＳ１０８ＮＯ）、次いで、制限指定印刷制御部４１１は、利用者による出力サンプルに対応する加工済みデータに対する印刷設定（印刷制御パラメータ）の変更指定操作を受け付ける処理に移行する。
【００７２】
尚、利用者が印刷設定の変更を指定する場合には、まず、出力サンプルと一緒にタッチパネル部４２２に表示される「改編」ボタン４２５を押下する。
【００７３】
「改編」ボタン４２５が押下されると、制限指定印刷制御部４１１は、図７に示すように、例えば、「縮尺変更」ボタン、「削除」ボタン、「両面／片面」ボタン、「部分選択」ボタンから成る変更指定画面４２２ｅをタッチパネル部４２２に表示し、該変更指定画面４２２ｅ上で、いずれかのボタンが押下されると、以降、メニュー形式で、上記押下されたボタンに対応する“縮尺変更”、“削除”、“両面／片面”、“部分選択”の変更処理条件の入力を受付ける処理を行う。
【００７４】
これにより、利用者は、変更指定画面４２２ｅ上で「縮尺変更」ボタン、「削除」ボタン、「両面／片面」ボタン、「部分選択」ボタンのいずれかを選択的に押下した後、出力サンプルに対応する加工済みデータに対して、それぞれ、メニュー形式で、特定の頁のみの縮小率の変更指定、特定の頁の削除、特定の頁に対する両面印刷の適用可否の選択指定、特定頁の特定部分のみの出力選択指定等の変更指定操作を行うことができる。
【００７５】
かかる操作手順に対して、制限指定印刷制御部４１１は、上記出力サンプルの表示中に印刷開始操作がなされなかった場合（ステップＳ１０８ＮＯ）、利用者によって上述した「改編」ボタン４２５の押下から「縮尺変更」ボタン，「削除」ボタン，「両面／片面」ボタン及び「部分選択」ボタンの選択的押下を通じて現時点の出力サンプルに対応する加工済みデータに対する印刷設定の変更指定操作が行なわれたか否かをチェックする（ステップＳ１０９）。
【００７６】
ここで、上述した手順に従って“縮尺変更”，“削除”，“両面／片面”及び“部分選択”のうちのいずれか若しくは複数に関する変更指定操作が行われた場合（ステップＳ１０９ＹＥＳ）、制限指定印刷制御部４１１は、当該変更指定内容を認識し、出力サンプルに対応する加工済みデータに対して、当該変更指定内容に対応した変更処理（各頁の縮小率変更、頁の削除、頁毎の両面／片面指定あるいは指定部分の抽出等）を施して加工済みデータを再加工（二次加工）し、その後、ステップＳ１０７に戻り、以降、同様の処理を続行する。
【００７７】
すなわち、ステップＳ１０７に戻ると、制限指定印刷制御部４１１は、再加工された印刷対象データ（再加工データ）から各頁のサムネイル画像を生成して該再加工データに対応する出力サンプルをタッチパネル部４２２に一覧表示し〔出力サンプル表示画面４２２ｄ（図６参照）の表示を一次加工データ（制限印刷データ）に対応する出力サンプルから二次加工データに対応する出力サンプルに切換える〕、当該出力サンプルの表示中に印刷開始指示が行われない場合（ステップＳ１０８ＮＯ）には、更に、該再加工データに対する変更指定が行われたか否かをチェックし（ステップＳ１０９）、ここで変更指定が行われる（ステップＳ１０９ＹＥＳ）毎に該変更指定内容に基づいてデータを再加工する処理（ステップＳ１１０）を継続する。
【００７８】
そして、この間、ステップＳ１０８で印刷開始操作が行われた場合（ステップＳ１０８ＹＥＳ）、制限指定印刷制御部４１１は、決済処理（ステップＳ１１１〜Ｓ１１３）を行った後、現在表示中の出力サンプルに対応する再加工データを記憶部４２から読み出して、印刷指示と共にプリンタ装置５０に送出する（ステップＳ１１４）。
【００７９】
一方、プリンタ装置５０は、印刷サービス装置４０において上記ステップＳ１０９での変更指定に基づきステップＳ１１０で再加工されたデータを受信し、該データを印刷出力する。この場合の出力結果は、上記変更指定内容を反映した形態であり、該変更指定を行わず、一次加工した段階でデータを印刷出力した場合とは異なる出力結果となる。
【００８０】
次に、具体的な制限項目の例を挙げて本発明の印刷サービス装置４０における制限指定印刷処理動作を更に詳細に説明する。
【００８１】
なお、この説明において、印刷サービス装置４０は、基本印刷動作として、例えば、Ａ４サイズ両面印刷を行うものであり、記憶部４２に、両面印刷＝１００円／１枚という基本印刷サービス料金と、１分（ｍｉｎ）／枚という印刷時間を印刷制御条件として予め保持しているものとする。
【００８２】
図８は、制限項目として“制限金額”が指定された場合のデータ加工処理動作を示すフローチャートであり、特に、図４のステップＳ１０１で印刷指示された、例えば、２０頁の頁数から成るデータに対して、同ステップＳ１０５において、「金額制限」ボタンの押下後に“制限金額＝２００円”が指定された場合の同ステップＳ１０６におけるデータ加工処理（便宜的に、Ｓ１０６ａと呼称）の詳細な処理動作を示している。
【００８３】
このデータ加工処理（ステップＳ１０６ａ）において、制限指定印刷制御部４１１は、まず、ステップＳ１０５で「金額制限」ボタンが押下されることにより制限項目の種別が決済金額であると判断し（ステップＳ１０６１で金額）、その後、制限金額指定画面４２２ａを用いて指定された制限金額の額（この例では、２００円）を認識する（ステップＳ１０６２ａ）。
【００８４】
なお、この処理において、ステップＳ１０５での「時間制限」ボタンの押下に応じて制限項目の種別が印刷時間であると判断（ステップＳ１０６１で時間）された場合には後述する時間制限データ加工処理（図１１参照）に進み、他方、ステップＳ１０５での「枚数制限」ボタンの押下に応じて制限項目の種別が印刷枚数であると判断（ステップＳ１０６１で枚数）された場合には後述する枚数制限データ加工処理（図１３参照）に進む。
【００８５】
引き続き、制限指定印刷制御部４１１は、上記ステップＳ１０６２ａで認識した制限金額（＝２００円）と、予め記憶している基本印刷サービス料金（同、１００円／１枚）とに基づき印刷可能枚数（同、２００÷１００＝２枚：片面で４枚分）を算出する（ステップＳ１０６３ａ）。
【００８６】
次に、制限指定印刷制御部４１１は、予め設定されている基本アルゴリズムに基づき、印刷可能枚数分の各用紙のどの面にどの頁を幾らの縮小率（アップ数：Ｎ１）で配置するかを算出する（ステップＳ１０６４ａ）。
【００８７】
この例では、１枚目の片面に対して印刷対象データの１頁目と２頁目を２−ｕｐで両面印刷することを決定する基本アルゴリズムが実装されているものとする。
【００８８】
上記基本アルゴリズムに基づくアップ数Ｎ１の決定後、制限指定印刷制御部４１１は、残りの印刷可能枚数（４−１＝３枚：片面換算）と、残りの印刷指示頁数（２０−２＝１８）とから、印刷可能枚数１枚当たりに対して印刷指示頁数を当分配置可能な頁数すなわちアップ数Ｎ２〔同、１８÷３＝６−ｕｐ〕を算出する（ステップＳ１０６５ａ）。
【００８９】
更に、制限指定印刷制御部４１１は、画像処理部４４に印刷対象データを渡して、該印刷対象データの各頁のデータを、上記ステップＳ１０６４ａで決定したアップ数Ｎ１（同、２−ｕｐ）及び上記ステップＳ１０６５ａで算出したアップ数Ｎ２（同、６−ｕｐ）の各々対応するアップ数に対応するデータに加工する処理を行う（ステップＳ１０６６ａ）。
【００９０】
このステップＳ１０６ａでの制限金額（＝２００円）の指定に基づく一連のデータ加工処理によれば、その後、ステップＳ１０７でのデータに処理において、タッチパネル部４２２の出力サンプル表示画面４２２ｄ上には、上記加工処理後のデータに基づき、例えば、図９（ａ）に示すような出力サンプルが表示される。
【００９１】
なお、図９、後述する図１０，図１２及び図１４の各図において、「ｐｎ」という記載は、ｎ頁目のデータに対応するサムネイル画像（若しくは、出力画像）を示すものである。
【００９２】
図９（ａ）に示すように、この出力サンプル表示においては、１枚目の用紙の表面に印刷対象データの１頁目と２頁目が２−ｕｐで配置され、その裏面には、３頁目〜８頁目までが６−ｕｐで配置され、更に、２枚目の用紙には、９頁目〜１４頁目及び１５頁目〜２０頁目がそれぞれ６−ｕｐで両面配置される様子が各頁に対応するサムネイル画像を用いて表示される。
【００９３】
この出力サンプルの表示中、ステップＳ１０８で印刷開始操作がなされると、印刷サービス装置４０から送信される当該出力サンプルに対応する加工済みデータに基づき、プリンタ装置５０では、図９（ｂ）に示すように、１枚目の用紙の表面に印刷対象データの１頁目と２頁目を２−ｕｐで印刷し、その裏面には、３頁目〜８頁目までを６−ｕｐで印刷し、更に、２枚目の用紙には、９頁目〜１４頁目及び１５頁目〜２０頁目をそれぞれ６−ｕｐで両面印刷する。
【００９４】
これに対し、上記出力サンプル表示を見た利用者が、特定の頁の印刷画像が小さすぎる等、当該出力サンプル表示での出力結果に満足しない場合には、その後、ステップＳ１０９での変更指定操作で、例えば、特定の頁の縮小率を変更する指定を行ったり、不要な頁を削除する指定を行うことにより、続くステップＳ１１０で当該変更指定内容に基づき二次加工処理された二次加工データを生成し、更に、ステップＳ１０７で当該二次加工データに基づく出力サンプルを出力サンプル表示画面４２２ｄ上に表示することができる。
【００９５】
そして、上記変更を加えた二次加工データの出力サンプルを見た利用者がその出力形態に満足した場合には、この時点で印刷指示操作を行うことで、プリンタ装置５０により、当該変更後の二次加工データに基づく出力サンプル通りの形態の印刷出力を行うことができる。
【００９６】
一例としては、図１０（ａ）は、図９（ａ）における出力サンプル表示を見ながら、２枚目の表面に配置された１１頁目〜１４頁目、及び２枚目の裏面に配置された１５頁目〜１８頁目を削除する変更指定（図の斜線部）の他、残った各頁の縮小率変更指定を含む変更指定操作が行われる様子を示し、図１０（ｂ）は、同図（ａ）で述べた変更指定操作に従って変更処理が施された二次加工データに基づき、プリンタ装置５０において、１枚目の用紙には、印刷対象データの１頁目〜４頁目までが各々２−ｕｐで両面印刷され、２枚目の用紙には、５頁目〜１０頁目まで、１９頁目及び２０頁目までが順に４−ｕｐで両面印刷される出力結果が得られる様子を示している。
【００９７】
以上に述べた制限金額指定印刷処理により、利用者は、手持ちの現金（貨幣）の額などに応じて希望する印刷制限金額を指定することで、例えば、図９（ｂ）に示すような出力形態で印刷対象データ全頁分の印刷を行うことができるし、あるいは、他の印刷形態を希望するのであれば、更に適宜な変更条件を指定してデータを二次加工することにより、例えば、図１０（ｂ）に示すように、特定の頁のみを残してより大きなサイズでＮ−ｕｐ印刷することも可能であり、制限金額の指定あるいは更なる変更指定を用いて、手持ちの限られた現金の範囲内で、自分が望むより理想に近い出力形態で印刷物を取得可能となる。
【００９８】
図１１は、制限項目として“制限時間”が指定された場合のデータ加工処理動作を示すフローチャートであり、特に、図４のステップＳ１０１で印刷指示された、２０頁の頁数から成るデータ（料金制限データ加工処理時と同じデータ）に対して、同ステップＳ１０５において、「時間制限」ボタンの押下後に“制限時間＝３分”が指定された場合の同ステップＳ１０６におけるデータ加工処理（便宜的に、Ｓ１０６ｂと呼称）の詳細な処理動作を示している。
【００９９】
このデータ加工処理（ステップＳ１０６ｂ）において、制限指定印刷制御部４１１は、まず、ステップＳ１０５で「時間制限」ボタンが押下されることにより制限項目の種別が印刷時間であると判断し（ステップＳ１０６１で時間）、その後、制限時間指定画面４２２ｂを用いて指定された制限時間の値（この例では、３分）を認識する（ステップＳ１０６２ｂ）。
【０１００】
引き続き、制限指定印刷制御部４１１は、上記ステップＳ１０６２ｂで認識した制限時間（＝３分）と、予め記憶している印刷時間（同、１分／１枚：両面）とに基づき印刷可能枚数（同、３÷１＝３枚：片面で６枚分）を算出する（ステップＳ１０６３ｂ）。
【０１０１】
次に、制限指定印刷制御部４１１は、算出された印刷可能枚数（＝３枚：両面換算で６枚）と、印刷対象データの頁数〔印刷指示頁数（同、２０頁）〕とから、印刷可能枚数１枚当たりに対して印刷指示頁数を当分配置可能な頁数すなわちアップ数Ｎ〔同、２０÷６＜３＝４−ｕｐ〕を算出する（ステップＳ１０６４ｂ）。
【０１０２】
更に、制限指定印刷制御部４１１は、画像処理部４４に印刷対象データを渡して、該印刷対象データの各頁のデータを、上記ステップＳ１０６４ｂで算出したアップ数Ｎ（同、４−ｕｐ）に対応するデータに加工する処理を行う（ステップＳ１０６５ｂ）。
【０１０３】
このステップＳ１０６ｂでの制限時間（＝３分）の指定に基づく一連のデータ加工処理によれば、その後、ステップＳ１０７でのデータに処理において、タッチパネル部４２２上には、上記加工処理後のデータに基づき、例えば、図１２（ａ）に示すような出力サンプルが表示される。
【０１０４】
図１２（ａ）に示すように、この出力サンプル表示においては、１枚目〜３枚目までの各用紙の表面及び裏面に、印刷対象データの１頁目〜２０頁目がそれぞれ４−ｕｐで順次両面配置される様子が各頁に対応するサムネイル画像を用いて表示される。
【０１０５】
この出力サンプルの表示中、ステップＳ１０８で印刷開始操作がなされると、印刷サービス装置４０から送信される当該出力サンプルに対応する加工済みデータに基づき、プリンタ装置５０では、図１２（ｂ）に示すように、１枚目の用紙の表面と裏面に印刷対象データの１頁目〜８頁目までを順次４−ｕｐで両面印刷し、２枚目の用紙の表面と裏面に印刷対象データの９頁目〜１６頁目までを順次４−ｕｐで両面印刷し、更に、３枚目の用紙の表面に印刷対象データの１７目〜２０頁目までを順次４−ｕｐで印刷する。
【０１０６】
ここで、当該出力サンプル表示を見た利用者が、当該出力サンプル表示での出力結果に満足しない場合には、その後、ステップＳ１０９での変更指定操作で、例えば、特定の頁の縮小率を変更する指定を行ったり、不要な頁を削除する指定を行うことにより、続くステップＳ１１０で当該変更指定内容に基づき二次加工処理された二次加工データを生成し、更に、ステップＳ１０７で当該二次加工データに基づく出力サンプルをタッチパネル部４２２に表示することができ、この時点で印刷指示操作を行うことで、プリンタ装置５０により、当該変更後の二次加工データに基づく出力サンプル通りの形態の印刷出力を行うことができることは上述した制限料金指定に基づく印刷処理動作と同様である。
【０１０７】
以上に述べた制限時間指定印刷処理によれば、利用者は、データの印刷に際して希望する印刷制限時間を指定することで、当該制限時間の範囲内で、例えば、図１２（ｂ）に示すような出力形態で印刷対象データ全頁分の印刷を行うことができ、交通機関の運行待ち時間がない場合等においても、当該待ち時間内に印刷を完了することができる。
【０１０８】
また、時間に余裕を持たせて制限時間を指定すれば、一次加工データに基づく出力サンプル表示を見て変更指定を行う時間も稼ぐことができ、この場合には、当該変更指定に基づき二次加工されたデータに基づき自分の希望により近い形での印刷を実現できる。
【０１０９】
図１３は、制限項目として“制限枚数”が指定された場合のデータ加工処理動作を示すフローチャートであり、特に、図４のステップＳ１０１で印刷指示された、２０頁の頁数から成るデータ（料金制限データ加工処理時と同じデータ）に対して、同ステップＳ１０５において、「枚数制限」ボタンの押下後に“制限枚数＝２枚”が指定された場合の同ステップＳ１０６におけるデータ加工処理（便宜的に、Ｓ１０６ｃと呼称）の詳細な処理動作を示している。
【０１１０】
このデータ加工処理（ステップＳ１０６ｃ）において、制限指定印刷制御部４１１は、まず、ステップＳ１０５で「枚数制限」ボタンが押下されることにより制限項目の種別が印刷枚数であると判断し（ステップＳ１０６１で枚数）、その後、制限枚数指定画面４２２ｃを用いて指定された制限枚数（この例では、２枚）を認識する（ステップＳ１０６２ｃ）。
【０１１１】
引き続き、制限指定印刷制御部４１１は、上記ステップＳ１０６２ｃで認識した制限枚数（＝２枚：片面換算で４枚）と、印刷対象データの頁数〔印刷指示頁数（同、２０頁）〕とから、印刷可能枚数１枚当たりに対して印刷指示頁数を当分配置可能な頁数すなわちアップ数Ｎ〔同、２０÷４＝５＝６−ｕｐ〕を算出する（ステップＳ１０６３ｃ）。
【０１１２】
更に、制限指定印刷制御部４１１は、画像処理部４４に印刷対象データを渡して、該印刷対象データの各頁のデータを、上記ステップＳ１０６３ｃで算出したアップ数Ｎ（同、６−ｕｐ）に対応するデータに加工する処理を行う（ステップＳ１０６４ｃ）。
【０１１３】
このステップＳ１０６ｃでの制限枚数（＝２枚）の指定に基づく一連のデータ加工処理によれば、その後、ステップＳ１０７でのデータに処理において、タッチパネル部４２２の出力サンプル表示画面４２２ｄ上には、上記加工処理後のデータに基づき、例えば、図１４（ａ）に示すような出力サンプルが表示される。
【０１１４】
図１４（ａ）に示すように、この出力サンプル表示においては、１枚目及び２枚目の各用紙の表面及び裏面に、印刷対象データの１頁目〜２０頁目がそれぞれ６−ｕｐで順次両面配置される様子が各頁に対応するサムネイル画像を用いて表示される。
【０１１５】
この出力サンプルの表示中、ステップＳ１０８で印刷開始操作がなされると、印刷サービス装置４０から送信される当該出力サンプルに対応する加工済みデータに基づき、プリンタ装置５０では、図１４（ａ）に示す出力サンプルに対応して、１枚目の用紙の表面と裏面に印刷対象データの１頁目〜１２頁目までを順次６−ｕｐで両面印刷し、２枚目の用紙の表面には１３頁目〜１８頁目までを順次６−ｕｐで印刷し、更に、その裏面に１９頁目及び２０頁目を６−ｕｐで印刷する出力結果を得る。
【０１１６】
一方、上記出力サンプル表示を見た利用者が、当該出力サンプル表示での出力結果に満足しない場合には、その後、ステップＳ１０９での変更指定操作で、例えば、特定の頁の縮小率を変更する指定を行ったり、不要な頁を削除する指定を行うことにより、続くステップＳ１１０で当該変更指定内容に基づき二次加工処理された二次加工データを生成し、更に、ステップＳ１０７で当該二次加工データに基づく出力サンプルをタッチパネル部４２２に表示することができる。
【０１１７】
そして、上記変更を加えた二次加工データの出力サンプルを見た利用者がその出力形態に満足した場合には、この時点で印刷指示操作を行うことで、プリンタ装置５０により、当該変更後の二次加工データに基づく出力サンプル通りの形態の印刷出力を行うことができる。
【０１１８】
一例としては、図１４（ｂ）は、同図（ａ）における出力サンプル表示を見ながら、１枚目の表面に配置された５頁目及び６頁目、同裏面に配置された７頁目〜１２頁目、及び２枚目の表面に配置された１３頁目〜１６頁目を削除する変更指定（図の斜線部）の他、残った各頁の縮小率変更指定を含む変更指定操作が行われる様子を示している。
【０１１９】
また、図１４（ｃ）は、同図（ｂ）で述べた変更指定操作に従って変更処理が施された二次加工データに基づき、プリンタ装置５０において、１枚目の用紙には、印刷対象データの１頁目〜４頁目までが各々２−ｕｐで両面印刷され、２枚目の用紙には、１７頁目〜２０頁目までが各々２−ｕｐで両面印刷される出力結果が得られる様子を示している。
【０１２０】
以上に述べた制限枚数指定印刷処理によれば、利用者は、データの印刷に際して、希望する印刷制限枚数を指定することにより、当該印刷データを指定した枚数分の用紙に印刷出力することができ、重いものを持っていてあまり多くの頁数の書類を持ちたくないといった状況下でも、印刷枚数を最小限に抑えて希望に叶った印刷を行うことができる。
【０１２１】
しかも、本発明では、印刷出力結果をサンプル表示したうえで、その結果に満足しなければ、更に、特定の頁のみの縮小率を変更したり、削除したり、両面／片面の指定を変更したり、特定の頁の特定部分のみの出力を選択する等の変更を受付けてデータを２次加工するため、利用者は、印刷物の枚数（重さ）を増やさないようにしながらも、最低限の内容（特定頁）だけはハードプリントで欲しいという要求も叶える場合に極めて便利な機能となる。
【０１２２】
なお、上記料金制限指定印刷制御（図８参照）については、基本アルゴリズムを用いて１頁目及び２頁目の配置及びアップ数を決定した後に、残りの印刷可能枚数に対する残りの頁データの配置を決定するようにしているが、この基本アルゴリズムは様々なパターンに設定することができる。
【０１２３】
また、本発明では、上記基本アルゴリズムを適用しないで、単純に、印刷可能枚数と印刷指示頁数とから各頁の縮小率を算出するようにしても良い。
【０１２４】
逆に、上記時間制限指定印刷制御（図１１参照）と、枚数制限指定印刷制御（図１３参照）については、基本アルゴリズム（但し、料金制限指定印刷制御の基本アルゴリズムとは異なる）を各頁の配置及びアップ数を決定した後に、残りの印刷可能枚数に対する残りの頁データの配置を決定する処理を適用しても良い。
【０１２５】
また、上述した、料金、時間及び枚数の各制限項目指定による制限指定印刷制御においては、指定された制限項目に基づき印刷対象データを加工処理したデータ（一次加工データ）に基づき１つの出力サンプルを表示する例を挙げているが、これに限らず、印刷対象データを指定された制限項目を満足する複数のデータに加工処理してこれら各加工データに各々対応する複数の出力サンプルを表示し、当該各出力サンプルの中から１つの出力サンプルの選択を受付けて、該選択された出力サンプルに対応する加工済みデータに基づき印刷出力させる構成としても良い。
【０１２６】
具体例を挙げれば、図８における料金制限印刷制御の説明で述べたように、２０頁から成るデータの印刷に際して制限料金＝２００円が指定された場合には、印刷可能枚数＝２枚に対して、当該印刷対象データを６−ｕｐで両面印刷可能な第１のデータ、各頁の３分の１のみを出力範囲として１００％かつ２−ｕｐで両面印刷可能な第２のデータ、各頁の２分の１を出力範囲として２０％縮尺で片面印可能な第３のデータを生成して各々の出力サンプルを表示し、表示された出力サンプルの中から最も理想に近い候補を選ばせるような処理が可能である。
【０１２７】
この場合に、選択した出力サンプルについて、更に、縮尺の変更やＮ−ｕｐ条件等の変更指定を受付け可能に構成できることはいうまでもない。
【０１２８】
また、上記料金制限指定印刷制御については、決済手段として現金を用いる場合を前提にして制限金額を指定する例を挙げているが、他の決済手段を利用することも考慮に入れて、例えば、金額に相当する度数を制限項目として指定できるようにしても良い。
【０１２９】
この他、本発明は、上記し、且つ図面に示す実施例に限定することなく、その要旨を変更しない範囲内で適宜変形して実施できるものである。
【０１３０】
例えば、本発明は、モノクロ印刷機かカラー印刷機を問わずに適用できる。また、カラー印刷とモノクロ印刷の両方に対応する機種では、モノクロ印刷か、カラー印刷かを選択させ、制限項目の他に当該印刷色を反映させて印刷可能枚数等を算出するようにしても良い。
【０１３１】
また、本発明は、印刷サービス装置４０にプリンタ装置５０を別体で接続した図２に示す構成に限らず、印刷サービス装置４０内にプリンタ装置５０の機能に相当する画像形成部が内蔵された構成によっても実現可能である。
【産業上の利用可能性】
【０１３２】
本発明は、予め蓄積したデータに対する印刷サービスを有料で提供する印刷処理装置全般に適用でき、データの印刷時に該印刷に係わる制限項目の設定を受付け、印刷対象データを、設定された制限項目を満足する印刷出力形態に対応する制限印刷データに加工して印刷出力する機能を有することにより、限られた金額で印刷したい、早くあるいは軽く印刷したいという利用者が望む印刷出力結果を事前に制限項目を設定するだけで簡単に取得できる。
【図面の簡単な説明】
【０１３３】
【図１】本発明に係わる印刷処理処理システムの全体構成を示す概念図。
【図２】印刷サービス装置の機能構成を示すブロック図。
【図３】印刷サービス装置の操作／表示部の概略構成を示す図。
【図４】印刷サービス装置における印刷処理動作を示すフローチャート。
【図５】印刷サービス装置における制限項目指定画面の表示例を示す図。
【図６】印刷サービス装置における出力サンプルの表示例を示す図。
【図７】印刷サービス装置における変更指定画面の表示例を示す図。
【図８】制限金額が指定された場合のデータ加工処理動作を示すフローチャート。
【図９】図８のデータ加工処理に基づく出力サンプル表示及び出力結果を示す概念図。
【図１０】図９の出力サンプルに対する改編操作及び改編後の出力結果を示す概念図。
【図１１】制限時間が指定された場合のデータ加工処理動作を示すフローチャート。
【図１２】図１１のデータ加工処理に基づく出力サンプル表示及び出力結果を示す概念図。
【図１３】制限枚数が指定された場合のデータ加工処理動作を示すフローチャート。
【図１４】図１３のデータ加工処理に基づく出力サンプル表示、改編操作及び改編後の出力結果を示す概念図。
【符号の説明】
【０１３４】
１０，１１，１１Ａ，１１Ｂ…イントラネット、２０…ネットワーク、３０…クライアント端末、４０，４０Ａ，４０Ｂ…印刷サービス装置、４１…制御部、４１１…制限指定印刷制御部、４２…操作／表示部、４２１…キー操作部、４２２…タッチパネル部、４２２ａ…制限金額指定画面、４２２ｂ…制限時間指定画面、４２２ｃ…制限枚数指定画面、４２２ｄ…出力サンプル表示画面、４２２ｅ…変更指定画面、４２５…改編ボタン、４３…記憶部、４４…画像処理部、４５…通信インタフェース（Ｉ／Ｆ）部、４７…決済処理装置、５０，５０Ａ，５０Ｂ…プリンタ装置
【図１】
2006221436.tif 000003
【図２】
2006221436.tif 000004
【図３】
2006221436.tif 000005
【図４】
2006221436.tif 000006
【図５】
2006221436.tif 000007
【図６】
2006221436.tif 000008
【図７】
2006221436.tif 000009
【図８】
2006221436.tif 000010
【図９】
2006221436.tif 000011
【図１０】
2006221436.tif 000012
【図１１】
2006221436.tif 000013
【図１２】
2006221436.tif 000014
【図１３】
2006221436.tif 000015
【図１４】
2006221436.tif 000016